(57)【要約】【課題】ブドウ等の果樹や野菜に電気刺激を与えることにより、果実等を改質させる方法を提供する。【解決手段】果樹又は一年生草木植物の異なる箇所に電極とその対極を挿入し、両電極を内部組織に接触させた状態で、電極間に電圧を印加する。果樹とは、果実をつける永年性の木本性植物に加えて、バナナ、パイナップル、パパイヤ、パッションフルーツなどの果樹の台木用植物を含む。これにより、果実の糖度を増加させ、酸度を減少させることができる。特に、果樹がブドウ樹である場合には、ブドウ果実のアントシアニン含量やレスベラトロール含量を増加させることができる。【選択図】図３
2018148801.tif 000002
【特許請求の範囲】
【請求項１】
果樹又は一年生草木植物の異なる箇所に電極とその対極を挿入し、両電極を内部組織に接触させた状態で、電極間に電圧を印加することにより果実等を改質させる方法。
【請求項２】
上記の電極とその対極を挿入する箇所は、
果樹の場合、異なる幹部、幹部と枝部、幹部と果実部、異なる枝部、枝部と果実部、若しくは異なる果実部であり、
一年生草木植物の場合、異なる茎部、茎部と葉部、茎部と果実部、異なる葉部、葉部と果実部、若しくは異なる果実部である、ことを特徴とする請求項１に記載の方法。
【請求項３】
印加する電圧は、１〜１００Ｖ以下の直流電圧、交流電圧又はパルス電圧であり、かつ、電極を挿入した箇所の内部組織が５０℃未満となるように調整されることを特徴とする請求項１又は２に記載の方法。
【請求項４】
果実、塊根、球根、塊茎、若しくは葉における、糖度の増加、酸度の減少の少なくとも何れかの改質を行うことを特徴とする請求項１〜３の何れかに記載の方法。
【請求項５】
上記の果樹がブドウ樹であり、ブドウ果実のアントシアニン含量とレスベラトロール含量を増加させることを特徴とする請求項１〜３の何れかに記載の方法。
【請求項６】
電極間に太陽光パネルを接続し、昼間のみに果樹又は一年生草木植物に電圧を印加させることを特徴とする請求項１〜５の何れかに記載の方法。
【請求項７】
果実、塊根、球根、塊茎、若しくは葉の異なる箇所に電極とその対極を挿入し、両電極を内部組織に接触させた状態で、電極間に電圧を印加することにより果実等を改質させる方法。
【請求項８】
果実、塊根、球根、塊茎、若しくは葉の培養細胞の集合体に電極とその対極を挿入し、両電極を前記集合体に接触させた状態で、電極間に電圧を印加することにより果実等の培養細胞を改質させる方法。
【請求項９】
印加する電圧は、２０Ｖ以下の直流電圧、交流電圧又はパルス電圧であり、かつ、電極を挿入した箇所の前記集合体が５０℃未満となるように調整されることを特徴とする請求項８に記載の方法。
【請求項１０】
上記の培養細胞に対する電圧印加により、
前記培養細胞において、酵素を産出する遺伝子の発現量を増大させることを特徴とする請求項８又は９に記載の方法。
【請求項１１】
上記の培養細胞がブドウ培養細胞であり、ブドウ培養細胞に対する電圧印加により、スチルベン合成酵素（ＳＴＳ）、レスベラトロール合成酵素、又は、病害抵抗性タンパク質を産出する遺伝子の発現量を増大させることを特徴とする請求項８又は９に記載の方法。
【請求項１２】
請求項１〜６の何れかの方法を施した果樹又は一年生草木植物から収穫された農産物。
【請求項１３】
請求項７の方法を施した農産物。
【請求項１４】
請求項８〜１１の何れかの方法を施した培養細胞。
【請求項１５】
請求項１４の培養細胞から培養された苗木。
【請求項１６】
請求項１５の苗木を生育して収穫された果実、塊根、球根、塊茎、若しくは葉の何れかの農産物。
【請求項１７】
請求項１２，１３，１６の何れかの農産物を用いた果汁、果実酒、漬物を含む２次的加工食品。
【発明の詳細な説明】
【技術分野】
【０００１】
本発明は、果実、野菜、および果実等の培養細胞を改質させる方法に関するものである。
【背景技術】
【０００２】
近年、炭酸ガス濃度の増加に伴う地球温暖化の問題から、植物や森林の保護とそれらの活性化による必要性がクローズアップされている。
かかる状況下、植物生体の機能的活性化と成長を図る農業技術として、植物生体の内側の内部高電位と表皮サイドの外部低電位とを結ぶ通電体を、外部の表皮サイドより植物生体に差し込み、植物生体の表皮サイドの電位を増大させることにより、植物生体の機能的活性化と成長の促進を図る技術が知られている（特許文献１，２を参照）。
【０００３】
従来公知の植物体に電気を流す方法について説明する。植物体に電気を流す方法として、例えば、特許文献３には、植物体と培地間に電位差を設け、植物体内に微電流を通電することにより、培地内から植物体内に微電流を通電させて、植物の活性化や生長を図り、病虫害の防除を図れるとするものである。しかしながら、特許文献３の技術では、クリップで植物体の茎や枝を挟むものである。すなわち、クリップと接する植物体の表皮から培地（アース）に電流を流すものである。また、特許文献３には、病虫害の防除の効果や機能性の酵素の増減についての記載はなく、そのメカニズムも不明であった。
【先行技術文献】
【特許文献】
【０００４】
【特許文献１】特開２００９−２７８９６３号公報
【特許文献２】国際公開パンフレットＷＯ２０１１／０５２２０３
【特許文献３】特開平７−７５４４６号公報
【発明の概要】
【発明が解決しようとする課題】
【０００５】
従来から植物体に電気を流して成長を促すことが様々な文献で言われているが、これらの技術は植物体と培地との間に電圧を印加して電流を流すものである。
また、上述した植物生体の機能的活性化と成長の促進を図る技術では、植物生体の中心柱の近傍の電位と外部の皮層近傍の電位は中心柱近傍電位が約１５０〜２００ｍＶ電位が高いことに着目し、また、植物全体がそれぞれ有する極性的電位である自己の生体電位（培地と生体茎）が、植物生体の成長力を示す指標として用いられることに着目して、通電体を挿し込んで電位バランスの調整を図るものである。
【０００６】
本発明者らは、ブドウ等の果樹に電気刺激を与えることにより、ブドウ等の果実に含まれる酵素を増加させることができることを知見した。かかる状況に鑑みて、本発明は、ブドウ等の果樹ならびに野菜に電気刺激を与えることにより、果実等を改質させる方法を提供することを目的とする。
【課題を解決するための手段】
【０００７】
上記課題を解決すべく、本発明の方法は、果樹又は一年生草木植物の異なる箇所に電極とその対極を挿入し、両電極を樹木など植物の内部組織に接触させた状態で、電極間に電圧を印加することによって果実等を改質させるものである。
本明細書において、果樹とは、果実をつける永年性の木本性植物に加え、バナナ、パイナップル、パパイヤ、パッションフルーツなどの果樹の台木用植物を含む意味で用いている。また、果樹には、２年以上栽培する草本植物を含む。また、一年生草木植物は、一年以内に発芽，生長，開花，結実を完了して枯れる草本植物であり、メロン、イチゴ、スイカなどの果物、キャベツ、レタス、大根、ニンジン、ゴボウ、ナス、トマト、キュウリ、タマネギ、カボチャ、ホウレンソウ、ジャガイモ、サツマイモなどの野菜を含む。
【０００８】
本発明の方法において、電極とその対極を挿入する箇所としては下記の通りである。
１）果樹の場合
異なる幹部、幹部と枝部、幹部と果実部、異なる枝部、枝部と果実部、若しくは異なる果実部
２）一年生草木植物の場合
異なる茎部、茎部と葉部、茎部と果実部、異なる葉部、葉部と果実部、若しくは異なる果実部
【０００９】
本発明の方法において、印加する電圧は、１〜１００Ｖ以下の直流電圧、交流電圧又はパルス電圧であり、かつ、電極を挿入した箇所の内部組織の温度が５０℃未満となるように調整されることが好ましい。印加する電圧は、１〜２０Ｖ以下とすることがより好ましく、さらに好ましくは、１〜１０Ｖ以下とする。内部組織に流れる電流の大きさは、電極の配置、電極間の距離によって、また、対象となる植物の内部組織の抵抗により異なるが、電流量を小さくする方が内部組織に過度の負担がかかることを回避できる。対象となる植物の大きさなどによって、低電圧を印加し微弱電流を内部組織に流すか、パルス電流とし、組織に供給するエネルギーが過度に大きくならないようにする。対象となる植物の内部組織の温度が５０℃以上になると、酵素などが不安定になるため、電極を挿入した箇所の内部組織の温度が５０℃未満となるように調整する。
【００１０】
本発明の方法によって、果実、塊根、球根、塊茎、若しくは葉における糖度を増加させ、酸度を減少させることができる。特に、果樹がブドウ樹である場合には、ブドウ果実のアントシアニン含量とレスベラトロール含量を増加させることが可能である。
本発明の方法では、例えば、電極間に太陽光パネルを接続し、昼間のみに果樹又は一年生草木植物に電圧を印加させることでもよい。
【００１１】
また、本発明の方法では、果実、塊根、球根、塊茎、若しくは葉の異なる箇所に電極とその対極を挿入し、両電極を内部組織に接触させた状態で、電極間に電圧を印加することにより果実等を改質させることも可能である。
【００１２】
本発明の果実等の培養細胞を改質させる方法では、果実、塊根、球根、塊茎、若しくは葉の培養細胞の集合体に電極とその対極を挿入し、両電極を果実培養細胞に接触させた状態で、電極間に電圧を印加することにより果実等の培養細胞を改質させるものである。
ここで、印加する電圧は、２０Ｖ以下の直流電圧、交流電圧又はパルス電圧であり、かつ、電極を挿入した箇所の集合体が５０℃未満となるように調整されることが好ましい。
培養細胞に対する電圧印加により、培養細胞において、酵素等を産出する遺伝子の発現量を増大させることができる。特に、培養細胞がブドウ培養細胞であり、ブドウ培養細胞に対する電圧印加により、スチルベン合成酵素（ＳＴＳ）、レスベラトロール合成酵素、又は病害抵抗性タンパク質を産出する遺伝子の発現量を増大させることが可能である。
なお、培養に用いる培地などは特に限定されない。
【００１３】
上述の本発明の方法を施した果樹又は一年生草木植物から収穫された農産物、それらの農産物を用いた果汁、果実酒、漬物を含む２次的加工食品は、様々な利用が期待できる。２次的加工食品とは、果汁飲料、ゼリー、ジャム、ワインなどである。
また、上述の本発明の方法を施した培養細胞、その培養細胞から培養された苗木、その苗木を生育して収穫された果実、塊根、球根、塊茎、若しくは葉の何れかの農産物も様々な利用が期待できる。
【発明の効果】
【００１４】
本発明の方法によれば、ブドウ等の果実や野菜の品質を向上できるといった効果がある。
【図面の簡単な説明】
【００１５】
【図１】実施例１のブドウ培養細胞を改質させる方法のフロー図
【図２】実施例１の実験の模式図
【図３】実施例２のブドウ樹を改質させる方法のフロー図
【図４】実施例２の比較対照実験の模式図
【図５】比較対照実験に用いたソーラーパネルの特性グラフ
【図６】ブドウ果実の糖度の増大を示すグラフ
【図７】ブドウ果実のアントシアニン含量の増大を示すグラフ
【図８】ブドウ果実のレスベラトロール含量の増大を示すグラフ
【図９】ブドウ果実の酸度の減少を示すグラフ
【図１０】ブドウ樹の葉のクロロフィル含量の増大を示すグラフ
【図１１】果樹の病害抵抗性（忌避性）を示すグラフ
【図１２】病害抵抗性タンパク質を産出する遺伝子の発現量を示すグラフ
【発明を実施するための最良の形態】
【００１６】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００１７】
（ブドウ培養細胞に対する電流刺激について）
ブドウ培養細胞に電気刺激を与えることによって、ブドウ培養細胞を改質できることについて説明する。
図１は、本実施例のブドウ培養細胞を改質させる方法のフローを示している。図１に示すように、ブドウ培養細胞の集合体に電極とその対極を挿入し（Ｓ１１）、ブドウ培養細胞の両電極を集合体に接触させる（Ｓ１２）。電極はソーラーパネルと繋がっており、照明光により電極間に電圧を印加する（Ｓ１３）。ブドウ培養細胞の集合体の温度が５０℃未満となるように照明光を調整する（Ｓ１４）。そして、ブドウ培養細胞における酵素の増加が生じるか否かの確認を行う。
【００１８】
具体的には、図２の模式図に示すように、容器に入れたブドウ培養細胞にステンレス製の電極を挿して、両電極を内部組織に接触させた状態で、蛍光灯に照らしたソーラーパネルに繋げ、電極間に４．５Ｖの電圧を４時間印加し、ブドウ培養細胞に対して電流処理を行った。その後、発現する遺伝子について確認（マイクロアレイ解析を用いて確認）を行った。比較対照として、電極を挿していない無処理のブドウ培養細胞を用いた。
ブドウ培養細胞は、赤系ブドウ品種で樹勢が強い甲州ブドウ由来の品種（甲州）から培養細胞を作製し、下記表１に示すＧＢ培地（ショ糖濃度２０ g／Ｌ）上で、２８℃、暗条件で培養した。
【００１９】
【表１】
2018148801.tif 000003
【００２０】
上述の電流処理を施したブドウ培養細胞を２塊用意し、またコントロールとして電流処理を施していない培養細胞２塊を用意した。これらの細胞を２７℃の恒温器で４時間静置した。その後、液体窒素を用いて瞬間冷凍し、−８０℃で保存した。
【００２１】
上記のブドウ培養細胞に対して、マイクロアレイ解析を実施した。ＤＮＡチップはGeneChip Vitis vinifera Genome Array（Affymetrix製）を使用した。使用したＤＮＡチップでは、醸造用ブドウ（Vitis vinifera）からの14000転写産物と他のブドウからの1700転写産物の発現量を計測することが可能である。マイクロアレイ解析により得られた各細胞の発現量データについて解析を行った。
【００２２】
マイクロアレイ解析データより、ＤＮＡチップ上の各遺伝子が電流処理によりどのように発現変動しているかを計算し、以下の基準により、標的とするべき遺伝子を選抜した。
（１）ＤＮＡチップ上の全遺伝子のうち、２倍以上あるいは２分の１以下発現変動した遺伝子
（２）上記（１）の遺伝子の内、機能が明確で、ブドウ果実の品質に関与すると推定される遺伝子
（３）上記（１）の遺伝子の内、機能が未知な遺伝子
【００２３】
マイクロアレイ解析データは非常に多くの情報を含んでいるが、上記（２）の遺伝子が選抜された。以下に詳細に説明する。
レスベラトロールはスチルベン誘導体でポリフェノールの一種であり、レスベラトロール合成の鍵酵素はstilbene synthaseである。マイクロアレイ解析データからstilbene synthaseをコードする遺伝子の発現量を確認したところ、下記表２に示すように、スチルベン合成酵素をコードする３つの遺伝子（stilbene synthase 2， stilbene synthase 4，stilbene synthase 1-like）と、レスベラトロール合成酵素をコードする遺伝子（resveratrol synthase）の４つの遺伝子が電流処理により高発現することが確認できた。
【００２４】
また、アントシアニンはアントシアニジンがアグリコンとして糖や糖鎖と結びついた配糖体 成分でポリフェノールの一種である。下記表２に示すマイクロアレイ解析データから、アントシアニン合成酵素をコードする遺伝子（UDP-glucose flavonoid 3-O-glucosyltransferase 6-like）が電流処理により高発現することが確認できた。
また、病害抵抗性（忌避性）として機能するタンパク質をコードする２つの遺伝子（probable WRKY transcription factor 33-like，class IV chitinase）が電流処理により高発現することが確認できた。
【００２５】
【表２】
2018148801.tif 000004
【００２６】
マイクロアレイ解析データから、ブドウ培養細胞への電圧印加による電流刺激（電流処理）が、stilbene synthase遺伝子の発現量を増大し、結果としてレスベラトロールの合成量を増やすことが示唆された。
レスベラトロールは抗酸化作用をもち、近年、サプリメントとしても市場を広げている。レスベラトロールサプリメントにおいて、ブドウからレスベラトロールを抽出する他にイタドリなどもまた原料として使用されている。レスベラトロールを合成する種々の植物に対して、本発明の方法を施すことにより、より低コストで高品質なレスベラトロールサプリメント生産のための高含有レスベラトロール原料植物を開発できる可能性がある。
【００２７】
また、マイクロアレイ解析データから、ブドウ培養細胞への電流処理が、アントシアニン合成酵素をコードする遺伝子（UDP-glucose flavonoid 3-O-glucosyltransferase 6-like）の発現量を増大し、結果としてアントシアニンの合成量を増やすことが示唆された。
アントシアニンは、ブルーベリーの紫色の色素であり、眼精疲労回復、視力改善作用に高い即効性を有することが知られている。アントシアニンを合成する種々の植物に対して、本発明の方法を施すことにより、より低コストで高品質なアントシアニンサプリメント生産のための高含有アントシアニン原料植物を開発できる可能性がある。
【００２８】
また、マイクロアレイ解析データから、ブドウ培養細胞への電流処理が、病害抵抗性（忌避性）として機能するタンパク質をコードする遺伝子（probable WRKY transcription factor 33-like，class IV chitinase）の発現量を増大し、結果として病害抵抗性を高めることが示唆された。
病害抵抗性（忌避性）を高めることは、植物の病気の発生を抑制して、殺菌剤などの農薬の使用量を減らすことによって、食の安全性を高めることにつながる。また、果実の外観品質を高めることができる。種々の植物に対して、本発明の方法を施すことにより、より低コストで病害抵抗性（忌避性）を高め、果実等の安全性や品質を高めることが期待できる。
【実施例２】
【００２９】
（ブドウ樹に対する電流刺激について）
本実施例では、ブドウ樹の幹に電極を埋め込み、ソーラーパネルを繋いで電極に電圧を印加し、電流処理を行った結果について説明する。
図３は、本実施例のブドウ樹を改質させる方法のフローを示している。図３に示すように、ブドウ樹の幹の異なる箇所に電極とその対極を挿入する（Ｓ０１）。両電極をブドウ樹の幹の内部組織に接触させる（Ｓ０２）。ソーラーパネルに太陽光が照射されることによって電極間に電圧が印加される（Ｓ０３）。内部組織の温度が５０℃未満となるように使用するソーラーパネルの仕様を調整する（Ｓ０４）。そして、ブドウ果実の果汁から、糖度、総酸、総フェノール含量、アミノ酸、レスベラトロール含量を実測した。また、ブドウ樹の葉のクロロフィル含量を実測した。
【００３０】
図４の実験の模式図に示すように、１樹木に電極４とソーラーパネル３を２組設置し、電流処理を行う電流区と、比較対照として、電極のみ挿してソーラーパネルを繋げず電流処理を行わない電極区（電極のみ）と、電極を挿していない無処理の対照区（処理なし）の３種のブドウ樹を用いた。ソーラーパネルの性能は、最大電圧が５Ｖ、最大電流が８０ｍＡ、最大電力が０．４Ｗを用いた。ソーラーパネルを２組用いた場合で、実際に照度による電極間の電圧の変化を確認すると、図５の特性グラフとなった。図５のグラフから本実施例で用いたソーラーパネルの場合、電極間に約１０Ｖを印加できることがわかる。
【００３１】
ここで、ブドウ樹としては、フランスのボルドーを発祥地とする代表的な赤ワイン用ブドウ品種の“メルロー”で、垣根仕立ての３０齢樹を実験に用いた。
なお、以下の実験は、母平均について群間ですべての対比較を同時に検定するための多重比較法の１つであるダネット（Ｄｕｎｎｅｔｔ）検定法を用い、後述する図６〜１０のグラフの値は、平均値±標準誤差（ｎ＝１０）で示している。
【００３２】
（ブドウ果実の糖度について）
図６は、ブドウ果実の糖度（Brix）の増大を示すグラフである。図６に示す果汁糖度の測定グラフにおいて、＊は対照と比較し５％水準で有意差が見られたものである。すなわち、電流処理および電極のみの実験区で果汁糖度が有意に高かったことが確認できた。
ここで、ブドウ果実の糖度として用いたBrixは、屈折率を「ショ糖液100ｇ中に含まれるショ糖のグラム数」に換算したものであり、その換算式は国際砂糖分析統一委員会（ＩＣＵＭＳＡ）で採択されているものである。ブドウ果汁のように、サンプル中の可溶性固形分のほとんどが糖であるものでは、Brixを糖度と扱うことが一般的である。
【００３３】
（ブドウ果実のアントシアニン含量について）
図７は、ブドウ果実のアントシアニン含量の増大を示すグラフである。図７に示す果皮のアントシアニン含量の測定グラフにおいて、“＊”は対照と比較して５％水準で有意差が見られたものである。すなわち、電流処理でアントシアニン含量が有意に高くなっていたことが確認できた。したがって、電流処理は果実のアントシアニン含量を増加すると判断した。
【００３４】
（ブドウ果実のレスベラトロール含量について）
図８は、ブドウ果実のレスベラトロール含量の増大を示すグラフである。図８に示すレスベラトロール含量の測定グラフにおいて、“＊＊”は対照と比較して１％の水準で有意差が見られたものである。すなわち、対照区と比較し、電流処理を施術した場合に１％水準でレスベラトロール含量の増加が認められた。これより、電流処理は果実のレスベラトロール含量を増加する可能性が示唆された。
【００３５】
（ブドウ果実の酸度について）
図９は、ブドウ果実の酸度の減少を示すグラフである。図９に示す果汁酸度の測定グラフにおいて、“＊”は対照と比較して５％の水準で有意差が見られたものである。すなわち、対照区と比較し、電流処理および電極のみの実験区で酸度の減少が認められた。
【００３６】
（葉のクロロフィル含量について）
図１０は、ブドウ樹の果実の収穫時期における葉のクロロフィル含量の増大を示すグラフを示している。図１０に示すブドウ樹の葉のクロロフィル含量の測定グラフにおいて、電流処理および電極のみの実験区でクロロフィル含量の増加が見られる。
【００３７】
（忌避効果について）
次に、ブドウ樹の病害抵抗性（忌避性）として、まず、野外栽培ブドウにおける房の発病率に及ぼす電気刺激の影響について説明する。
下記表３は、電流区（電流処理）と電極区（電極のみ）と対照区（処理なし）のそれぞれについて、病気（灰色かび病、晩腐病）に罹っている房の数、健康な房の数を測定し、病気の発生率を算出した結果を示している。ここで、“＊”は対照区および電極区と比較してカイ二乗検定による有意差が見られたものである。
表３の結果から、病気（灰色かび病、晩腐病）に罹っている房の数は、電気処理で有意に減っていることが確認できる。ここで、病気の発生率（％）＝病気に罹った房の数／（病気に罹った房の数＋健康な房の数）×１００で算出している。
【００３８】
【表３】
2018148801.tif 000005
【００３９】
図１１は、ブドウ樹の病害抵抗性（忌避性）を示すグラフである。図１１に示すように、葉の被害率の測定結果では、電流処理の実験区で葉の被害率の減少が対照と比較して０．０１％の水準で有意差が見られた。ここで、葉の被害率は、ブドウベと病に罹っている葉の数を用いて算出している。ブドウベと病は、ブドウの重大な病害の１つで、かびによる病害であり、始めは淡黄色の斑点が葉の表面に現れ、その後、葉の裏面に白色の毛足の長いかびが密生して、 酷くなると落葉するといった葉の被害である。
【００４０】
図１２は、病害抵抗性タンパク質を産出する遺伝子の発現量を示すグラフである。図１２には、４つのグラフを示しており、横軸は電流処理後の日数であり、縦軸は相対強度を示している。４つの遺伝子（chitinase I、chitinase IV、β-1,3-glucanase、thaumatin-like protein）がコードするタンパク質はすべて病害抵抗性に関与するものである。特に、キチナーゼ（chitinase）、β-1,3-グルカナーゼ（β-1,3-glucanase）は病原菌の細胞壁を直接分解し、病原菌を殺菌する作用があり、多種多様な病原菌に効果をもつタンパク質である。
図１２に示すように、４つの遺伝子は、何れも、電流処理の実験区が、他の実験区や対照区と比べて、遺伝子の増幅が２０〜３０日後に有意差が認められることから、電気処理による病害抵抗性（忌避性）の即効性は少ないものの、予防的効果に期待できる。
【産業上の利用可能性】
【００４１】
本発明は、果実や野菜などの農産物の品質改善に有用である。
【符号の説明】
【００４２】
１  実験装置
２  ブドウ培養細胞
３  ソーラーパネル
４  電極
【図１】
2018148801.tif 000006
【図２】
2018148801.tif 000007
【図３】
2018148801.tif 000008
【図４】
2018148801.tif 000009
【図５】
2018148801.tif 000010
【図６】
2018148801.tif 000011
【図７】
2018148801.tif 000012
【図８】
2018148801.tif 000013
【図９】
2018148801.tif 000014
【図１０】
2018148801.tif 000015
【図１１】
2018148801.tif 000016
【図１２】
2018148801.tif 000017